(57)【特許請求の範囲】
【請求項１】
下端筒部を摘み筒２として該摘み筒上方筒部分が形成する内筒４に第１ガイド孔５と第２ガイド孔６とを周方向にずらして縦設した主筒１と、
上記内筒外面へ回動可能に嵌合させた雌ねじ筒11と、
上記内筒４内へ、上下動可能に嵌合させた筒部22の外面から第１係合ピン23を突出して上記第１ガイド孔５内へ上下動可能に嵌合させたホルダ21と、
上記ホルダの下部内へ上昇可能に上端筒部を嵌合させた、上面閉塞の筒体32の下部外面から第２係合ピン33を突設し、該第２係合ピンを第２ガイド孔６に挿通させて先端を雌ねじ筒11内面の雌ねじ溝内へ摺動自在に係合させた突出し部材31とを有し、
上記第２ガイド孔を第１ガイド孔５上端よりも上方まで穿設すると共に、ホルダ21と突出し部材31とは、係合手段を介し係合させて、第１係合ピン23が第１ガイド孔５上端に接して停止するまでは、第１係合手段を介して突出し部材31がホルダを押上げおよび引下げ可能とすると共に、上記停止後は、第１係合手段が外れてホルダ内を突出し部材が所定高さに上昇した後にホルダと突出し部材とに設けた第２の係合手段が係合可能に設けた棒状化粧料繰出し容器において、
上記第２ガイド孔６上部の左右いずれかの側方に逃げ空間７を、第２ガイド孔上部と連続させて形成し、
又主筒１の上端部内面へ抜出し不能かつ回動可能に下方筒部を嵌合させて主筒上方へ起立させた筒部42の下端面一部から、第２ガイド孔６上部を閉塞させて脚板43を垂下する回動筒41を設けて、上記第１係合ピン23が第１ガイド孔上端に接するとほぼ同時に第２係合ピン33が脚板43下端面に接するよう脚板43の長さを定め、
主筒１に対する回動筒41の回動で脚板43が逃げ空間７内へ移動して第２ガイド孔上部を開放可能に形成した
ことを特徴とする棒状化粧料繰出し容器。
【発明の詳細な説明】
【０００１】
【発明の属する技術分野】
本発明は棒状化粧料繰出し容器に関する。
【０００２】
【従来の技術】
ホルダ内に下端部を嵌合させて起立する棒状化粧料を、容器内から繰出して使用し、使用後は再び容器内に繰込みするよう設けた繰出し容器は古くから知られているが、特開平8‐70931 号の繰出し容器は、従来行われていたホルダの繰出し、繰込みに代えて、そのホルダ下方に設けた突出し部材を繰出し、繰込みすると共に、ホルダは通常、その突出し部材と共に上下動できるよう係合させ、ホルダが保持する棒状化粧料が短かくなると、ホルダが上限まで上昇した後、更に突出し部材を繰出すと上記係合が外れて、上限に達して停止しているホルダ下部内へ突出し部材上部が挿入され該挿入によりホルダ内に嵌合されていた化粧料下端部が上方へ押出されて、該押出された化粧料部分を使用できるよう設けている。
【０００３】
【発明が解決しようとする課題】
上記従来例の繰出し容器は、ホルダが上限に達した後に更に棒状化粧料押上げのための繰出し操作を行う際、突出し部材とホルダとの係合を外すこととなるから相当の力を要することとなり、よってその後の繰出し操作でホルダ内に嵌合している化粧料下端部分を押上げていることを理解できる筈であるが、そのように繰出し操作が重くなっても尚何気なく繰出し操作を継続することも考えられる。
するとホルダ上方へ突出する化粧料が使用可能な長さを充分有するに拘らず、その化粧料のホルダ嵌合部分を短かくすることとなり、そのため化粧料使用の際、ホルダから外れ易くなる。又ホルダの化粧料嵌合部分は突出し部材侵入により浅くなっているため化粧料の再嵌合も不完全となり、よってその化粧料は無駄にすることが多くなる。
【０００４】
本発明は、ホルダの上限と突出し部材の１次上限とを等しくしてホルダが上限に達したときは、突出し部材も１次の上限に達して繰出しが不能となるよう設け、ホルダ内に嵌合されている化粧料の残部を押上げて使用する際は、容器上端部へ嵌合されている回動筒を回すよう設けて、該回動により突出し部材のガイド孔が上方まで延長されて突出し部材だけの繰出しないし上昇が可能とし、該上昇でホルダ内の化粧料残部を押上げて使用できるよう設けたものである。
【０００５】
【課題を解決するための手段】
下端筒部を摘み筒２として該摘み筒上方筒部分が形成する内筒４に第１ガイド孔５と第２ガイド孔６とを周方向にずらして縦設した主筒１と、
上記内筒外面へ回動可能に嵌合させた雌ねじ筒11と、
上記内筒４内へ、上下動可能に嵌合させた筒部22の外面から第１係合ピン23を突出して上記第１ガイド孔５内へ上下動可能に嵌合させたホルダ21と、
上記ホルダの下部内へ上昇可能に上端筒部を嵌合させた、上面閉塞の筒体32の下部外面から第２係合ピン33を突設し、該第２係合ピンを第２ガイド孔６に挿通させて先端を雌ねじ筒11内面の雌ねじ溝内へ摺動自在に係合させた突出し部材31とを有し、
上記第２ガイド孔を第１ガイド孔５上端よりも上方まで穿設すると共に、ホルダ21と突出し部材31とは、係合手段を介し係合させて、第１係合ピン23が第１ガイド孔５上端に接して停止するまでは、第１係合手段を介して突出し部材31がホルダを押上げおよび引下げ可能とすると共に、上記停止後は、第１係合手段が外れてホルダ内を突出し部材が所定高さに上昇した後にホルダと突出し部材とに設けた第２の係合手段が係合可能に設けた棒状化粧料繰出し容器において、
上記第２ガイド孔６上部の左右いずれかの側方に逃げ空間７を、第２ガイド孔上部と連続させて形成し、
又主筒１の上端部内面へ抜出し不能かつ回動可能に下方筒部を嵌合させて主筒上方へ起立させた筒部42の下端面一部から、第２ガイド孔６上部を閉塞させて脚板43を垂下する回動筒41を設けて、上記第１係合ピン23が第１ガイド孔上端に接するとほぼ同時に第２係合ピン33が脚板43下端面に接するよう脚板43の長さを定め、
主筒１に対する回動筒41の回動で脚板43が逃げ空間７内へ移動して第２ガイド孔上部を開放可能に形成した。
【０００６】
【発明の実施の形態】
以下図面について説明すると、本発明は、主筒１と、雌ねじ筒11と、ホルダ21と、突出し部材31と、回動筒41とからなり、その回動筒41を設けたことが既述従来例に対する、主たる特徴をなす。
主筒１は図６が最も明確に示すように下端筒部を大外径の摘み筒２とし、該摘み筒上方の筒部分を、上端外面に係合突条３を有する内筒４として、該内筒に第１ガイド孔５と第２ガイド孔６とを、周方向へずらして縦設している。第１ガイド孔５は内筒下部の上方部分から上記係合突条３下方まで穿設し、又第２ガイド孔６は内筒下端から上端まで穿設し、かつその第２ガイド孔６上部の左右側方の一方に、後述回動筒の脚板を収納させるための逃げ空間７を、その第２ガイド孔上部と連続させて設けている。尚第１ガイド孔上端および上部を除く第２ガイド孔部分上端には、該主筒の逆回動方向へ横孔部5a、6aを連続させているが、これ等は公知のように後述ホルダおよび突出し部材の第１、第２係合ピンを嵌合させてホルダおよび突出し部材を上下方向へ対して摺動不能とするものであり、必要により設ければよい。
【０００７】
上記主筒の内筒４外面へは雌ねじ筒11を回動可能に、かつ抜出し不能に嵌合させる。該雌ねじ筒は内面に雌ねじ溝12を有し、かつ上端部内面に凹溝13を周設して該凹溝内へ既述内筒上端の係合突条３を嵌合させ、凹溝下面と係合突条下面との係合で雌ねじ筒を抜出し不能としている。
既述主筒の内筒内へは、棒状化粧料51の下部を嵌着させるホルダ21の筒部22を上下動可能に嵌合させる。該ホルダは筒部外面から第１係合ピン23を突出し、該ピンを既述第１ガイド孔５内へ上下動可能に嵌合させる。通常ホルダの係合ピンはガイド孔に挿通させたうえ、更にその先端を雌ねじ筒の雌ねじ溝12内へ係合させるが、既述従来例および本発明にあっては、その第１係合ピン先端を雌ねじ溝内へ係合させてはいない。ホルダ21は図示のようにその筒部を下方へ延長して、その延長筒部分左右に第３ガイド孔24を縦設するとよい。図示例では延長筒部分を除く筒部分の下端に内向きフランジ25を付設し、又その内向きフランジ下方の延長筒部分上部に、後述突出し部材と係合させる係合突部26を横設している。
【０００８】
31は突出し部材で、上記ホルダ21の下部内へ上昇可能に上端筒部を嵌合させた、有頂の筒体32の下部の左右外面から第２係合ピン33を突設して、その第２係合ピンを第３、および第２ガイド孔24, ６に挿通させ、更にその先端を雌ねじ筒11の雌ねじ溝12内へ摺動自在に係合させている。その筒体32の前後外面には上下方向に適当間隙をおいて複数の横溝34を穿設している。これ等横溝は既述ホルダの係合突部26を嵌合させるもので、通常その最上方横溝内に係合突部が嵌合されている。
【０００９】
41は回動筒で、図６が示すように筒部42の左右両部から脚板43,43 を垂下して形成する。その筒部42の下端部を小外径部44とし、かつ該小外径部の上端外面に凹溝45を周設しており、その凹溝内に、雌ねじ筒11上端内面に設けた係合突部14を回動可能に嵌合させ、その小外径部上面が形成する下向き段部を雌ねじ筒上端面へ載置させて起立する。脚板43,43 は、図３が示すように第２ガイド孔６の上部内に嵌合させ、該第２ガイド孔上部を閉塞させる。
【００１０】
上記構成部材はすべて合成樹脂材でそれぞれ一体成形するが、雌ねじ筒11外面には金属製の化粧筒を嵌着させる場合が多い。
上記構成において、雌ねじ筒11を持ち、摘み筒２を正方向へ回すと、第２ガイド孔６内には第２係合ピン33を挿通させ、かつその第２係合ピン先端を雌ねじ溝12内へ係合させているため、第２係合ピン33は雌ねじ溝に沿って螺上昇し、よってその第２係合ピン33を有する突出し部材31は主筒の内筒４内を上昇する。該突出し部材とホルダ21とは、図１が示すように横溝34内へ係合突部26を嵌合させて係合させているため、ホルダ21も共に内筒４内を上昇し、又摘み筒２を逆方向へ回すことで突出し部材31およびホルダ21は共に下降する。
【００１１】
ホルダ21に下端部を嵌合させて起立する棒状化粧料51が短かくなったとき、図３が示すように突出し部材31の第２係合ピン33が１次上限に達するまで、つまり回動筒の脚板43下端面へ接するまで上昇させる。このとき、ホルダ21の第１係合ピン23は第１ガイド孔５の上端に接し、更に摘み筒２を回すと各第１、第２係合ピン23,33 は各横孔部5a,6a 内へ入った後、その横孔部の奥壁に接して摘み筒２の回動を停止させる。
【００１２】
該状態から、図４および図５が示すように回動筒41を主筒１に対し回動させて、脚板43を逃げ空間７内へ移動させると、第２ガイド孔６の上部が開放されることとなり、よって該状態から更に摘み筒２を正方向へ回せば突出し部材31の第２係合ピン33は、第２ガイド孔６の上部側縁によって雌ねじ溝12上方へ押上げられ上昇するに対して、ホルダ21の第１係合ピン23は既に上限に達していて上昇出来ず、停止状態を保つため、ホルダ21に対して突出し部材31だけが上昇することとなり、すると突出し部材31がホルダ21内を、図４が示すように上昇し、そのため棒状化粧料51のホルダ内残部は図４、図５のように上方へ押出されることとなる。尚このとき既述ホルダの係合突部26は、突出し部材31の最上方横溝34内から強制的に下方へ押出され、第２の、又は第３の横溝内へ嵌合してホルダと突出し部材31との係合状態を保つこととなる。
【００１３】
棒状化粧料使用後は、摘み筒２を逆方向へ回せばよく、すると、突出し部材31とホルダ21とは、既述上方から二番目ないし三番目の横溝34と係合突部26とが形成する、第２、ないし第３の係合手段により係合しているため、共に下降する。
【００１４】
【発明の効果】
本発明は既述構成とするもので、主筒１の上端部内面へ、下方筒部を嵌合させて、主筒上方へ起立させた筒部42の下端面一部から、第２ガイド孔６上部を閉塞する脚板43を垂下する回動筒41を設け、又ホルダ21の第１係合ピン23が第１ガイド孔５上端に接したとき、ほぼ同時に突出し部材31の第２係合ピン33が上記脚板43下端面が形成する１次上限に接するよう設けたから、該状態では摘み筒２を正方向へ回そうとしても上記のように第２係合ピン33は脚板下端面に接して上昇不能であるため、既述従来例のように不用意に摘み筒２を回し続けることは不能であり、ホルダ内の棒状化粧料51が押出されることがない。
【００１５】
又上記第２ガイド孔６の上部側方には逃げ空間７を連続形成し、回動筒41を回すことで上記脚板43が逃げ空間７内へ移動して第２ガイド孔６上部を開放可能としたから、該状態では繰出し操作が可能となってホルダ21に対する突出し部材31の上昇で棒状化粧料51を押上げでき、よって、無駄なくその棒状化粧料の残部を使用することが出来る。
【図面の簡単な説明】
【図１】  ホルダが下限に位置する状態での本発明容器の半断面図である。
【図２】  ホルダを上限まで上昇させた状態での半断面図である。
【図３】  雌ねじ筒を外して示す、図２容器の斜視図である。
【図４】  図２の状態から突出し部材を上昇させた状態を示す半断面図である。
【図５】  雌ねじ筒を外して示す、図４容器の斜視図である。
【図６】  本発明容器に使用している主要な複数部材の斜視図である。
【符号の説明】
１…主筒                  ２…摘み筒
５…第１ガイド孔          ６…第２ガイド孔
11…雌ねじ筒              21…ホルダ
23…第１係合ピン          31…突出し部材
33…第２係合ピン          41…回動筒
43…脚板
【図１】
0003771065.tif 000002
【図２】
0003771065.tif 000003
【図３】
0003771065.tif 000004
【図４】
0003771065.tif 000005
【図５】
0003771065.tif 000006
【図６】
0003771065.tif 000007